【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
通信インターフェースを備え、リモートコントロールデバイスによるリモートコントロールに適している電子デバイスに組み込まれているデータを更新するための方法であって、前記電子デバイスは機械的キャビネットを備え、少なくとも１つのスタンバイモードに構成可能であり、前記機械的キャビネットは前記リモートコントロールデバイスを格納するためのレセプタクルを備え、前記方法は、
前記レセプタクル内の前記リモートコントロールデバイスの検出後に前記スタンバイモードを構成することと、
前記通信インターフェースを介して組み込みデータを更新することと、
を含む、前記方法。
【請求項２】
前記組み込みデータの更新は、前記レセプタクル内に前記リモートコントロールデバイスが存在する時間に応じて実行される、請求項１に記載の方法。
【請求項３】
前記組み込みデータの更新は、第１の決定された期間の間に前記レセプタクル内に前記リモートコントロールデバイスが存在するときに実行される、請求項１又は２に記載の方法。
【請求項４】
前記組み込みデータの更新は、第２の決定された期間の間に前記レセプタクルに前記リモートコントロールデバイスが存在していないときに中断される、請求項１から３のいずれか１項に記載の方法。
【請求項５】
前記組み込みデータの更新は、前記データの部分の連続ダウンロードにより実行され、前記連続ダウンロードは、少なくとも第１の決定された期間の間に前記レセプタクル内に前記リモートコントロールデバイスが存在するときに開始し、第２の決定された期間の間に前記レセプタクルに前記リモートコントロールデバイスが存在していないときに終了する、請求項１から４のいずれか１項に記載の方法。
【請求項６】
前記電子デバイスは、第３の決定された期間の間に前記レセプタクルに前記リモートコントロールデバイスが存在していないときに前記スタンバイモードを終了するように構成される、請求項１から５のいずれか１項に記載の方法。
【請求項７】
前記組み込みデータの更新は、リモートサーバー上で利用可能なバージョンに関して前記組み込みデータのバージョンをチェックすることを含む、請求項１から６のいずれか１項に記載の方法。
【請求項８】
前記組み込みデータの更新は、重要なサービスオペレーションが前記電子デバイスにおいて進行中のとき、前記重要なサービスオペレーションが完了するまで前記リモートコントロールデバイスを前記レセプタクル内にロックすることを含む、請求項１から７のいずれかに記載の方法。
【請求項９】
通信インターフェースを備え、リモートコントロールデバイスによるリモートコントロールに適している電子デバイスであって、前記電子デバイスは機械的キャビネットを備え、少なくとも１つのスタンバイモードに構成可能であり、
前記機械的キャビネットは前記リモートコントロールデバイス用のレセプタクルを備え、
前記レセプタクルは前記レセプタクル内に前記リモートコントロールデバイスが存在する時間を検出するためのデバイスを備え、
前記通信インターフェースを介して組み込みデータを更新するのに適した制御ユニットを備え、前記組み込みデータの更新は前記レセプタクル内の前記リモートコントロールデバイスの存在に応じて実行される、前記電子デバイス。
【請求項１０】
前記機械的キャビネットは上面を備え、前記上面は、前記リモートコントロールデバイス用の前記レセプタクルを備える、請求項９に記載の電子デバイス。
【請求項１１】
前記組み込みデータの前記更新が完了したときに前記レセプタクル内の前記リモートコントロールデバイスの位置を修正するのに適したアクチュエータ要素を備える、請求項９又は１０に記載の電子デバイス。
【請求項１２】
前記リモートコントロールデバイスにエネルギーをチャージするのに適したアキュムレータチャージングモジュール要素を備え、前記アキュムレータチャージングモジュール要素は前記リモートコントロールデバイスが前記レセプタクル内に置かれたときにアクティブ化される、請求項９から１１のいずれか１項に記載の電子デバイス。
【手続補正２】
【補正対象書類名】明細書
【補正対象項目名】００６９
【補正方法】変更
【補正の内容】
【００６９】
さらに、本発明は、ブロードバンドネットワークの介在によりリモートサーバーに接続された電子デバイスに制限されるだけでなく、ブロードバンドネットワークを介さないが、例えば、地上ディジタルテレビ放送ネットワーク、無線放送ネットワーク、または衛星放送ネットワークなどの別のタイプのネットワークを介したダウンロード接続を有するデバイスにも関係する。
本発明は以下の態様を含む。
（付記１）
通信インターフェース（ＥＴＨＩＦ）を備え、リモートコントロールデバイス（ＲＣ）によるリモートコントロールに適している電子デバイス（ＳＴＢ）に組み込まれているデータを更新するための方法であって、前記電子デバイス（ＳＴＢ）は機械的キャビネットを備え、少なくとも１つのスタンバイモードに構成可能であり、前記機械的キャビネットは前記リモートコントロールデバイス（ＲＣ）を格納するためのレセプタクルを備え、  前記方法は、
前記レセプタクル（ＲＣＳＯＣ）内の前記リモートコントロールデバイス（ＲＣ）の検出後に前記スタンバイモードを構成するステップと、
前記通信インターフェースを介して組み込みデータを更新するステップと、
を含む、前記方法。
（付記２）
前記更新は、前記レセプタクル（ＲＣＳＯＣ）内に前記リモートコントロールデバイス（ＲＣ）が存在する時間に応じて実行される、付記１に記載の方法。
（付記３）
組み込みデータを更新する前記ステップは、前記リモートコントロールデバイス（ＲＣ）が第２の決定された期間の間に前記レセプタクル（ＲＣＳＯＣ）に存在していないときに中断される、付記１又は２に記載の方法。
（付記４）
前記電子デバイスは、前記リモートコントロールデバイス（ＲＣ）が第３の決定された期間の間に前記レセプタクル（ＲＣＳＯＣ）に存在していないときに前記スタンバイモードを終了するように構成される、付記１から３のいずれか１つに記載の方法。
（付記５）
組み込みデータを更新する前記ステップは、リモートサーバー上で利用可能なバージョンに関して前記組み込みデータのバージョンをチェックする少なくとも１つのステップを含む、付記１から４のいずれか１項に記載の方法。
（付記６）
前記組み込みデータの前記更新は、前記データの一部の連続的ダウンロードによって実行され、前記連続ダウンロードは、前記リモートコントロールデバイス（ＲＣ）が少なくとも前記第１の決定された期間において前記レセプタクル（ＲＣＳＯＣ）内に存在するときに開始し、前記リモートコントロールデバイス（ＲＣ）が第２の決定された期間において前記レセプタクル（ＲＣＳＯＣ）内に存在しないときに終了する、付記１から５のいずれか１つに記載の方法。
（付記７）
通信インターフェース（ＥＴＨＩＦ）を備え、リモートコントロールデバイス（ＲＣ）によるリモートコントロールに適している電子デバイス（ＳＴＢ）であって、前記電子デバイス（ＳＴＢ）は機械的キャビネットを備え、少なくとも１つのスタンバイモードに構成可能であり、
前記機械的キャビネットは前記リモートコントロールデバイス（ＲＣ）用のレセプタクル（ＲＣＳＯＣ）を備え、
前記レセプタクルは前記レセプタクル（ＲＣＳＯＣ）内に前記リモートコントロールデバイス（ＲＣ）が存在する時間を検出するためのデバイス（ＲＣＳＲ）を備え、
前記通信インターフェースを介して組み込みデータを更新するのに適した制御ユニットを備え、前記更新は前記レセプタクル（ＲＣＳＯＣ）内の前記リモートコントロールデバイス（ＲＣ）の存在に応じて実行される、前記電子デバイス（ＳＴＢ）。
（付記８）
前記機械的キャビネットは上面を備え、前記上面は、前記リモートコントロールデバイス用の前記レセプタクルを備える、付記７に記載の電子デバイス。
（付記９）
それは前記組み込みデータの前記更新が完了したときに前記レセプタクル（ＲＣＳＯＣ）内の前記リモートコントロールデバイス（ＲＣ）の位置を修正するのに適したアクチュエータ要素を備える、付記７又は８に記載の電子デバイス。
（付記１０）
前記リモートコントロールデバイスにエネルギーをチャージするのに適したアキュムレータチャージングモジュール要素を備え、前記チャージングモジュールは前記リモートコントロールデバイス（ＲＣ）が前記レセプタクル（ＲＣＳＯＣ）内に置かれたときにアクティブ化される、付記７又は８に記載の電子デバイス。